(57)【特許請求の範囲】
【請求項１】
利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段とを備えた写真プリントシステムにおいて、
上記撮影手段による撮影処理が行われる撮影空間、あるいは上記編集手段による編集処理が行われる編集空間として機能する第１および第２の作業空間と、
上記編集手段を上記第１および第２の作業空間の間で移動させる編集手段移動手段と、
上記編集手段移動手段の動作を制御する制御手段とを備え、
上記撮影手段が、上記第１および第２の作業空間にそれぞれ設けられているとともに、
上記制御手段が、上記第１および第２の作業空間のうちの一方に上記編集手段を移動させるとともに、上記編集手段が配置される作業空間を上記編集空間として機能させ、上記編集手段が配置されていない方の作業空間を上記撮影空間として機能させることを特徴とする写真プリントシステム。
【請求項２】
利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段とを備えた写真プリントシステムにおいて、
上記撮影手段による撮影処理が行われる撮影空間、あるいは上記編集手段による編集処理が行われる編集空間として機能する第１および第２の作業空間と、
上記撮影手段を上記第１および第２の作業空間の間で移動させる撮影手段移動手段と、
上記撮影手段移動手段の動作を制御する制御手段とを備え、
上記編集手段が、上記第１および第２の作業空間にそれぞれ設けられているとともに、
上記制御手段が、上記第１および第２の作業空間のうちの一方に上記撮影手段を移動させるとともに、上記撮影手段が配置される作業空間を上記撮影空間として機能させ、上記撮影手段が配置されていない方の作業空間を上記編集空間として機能させることを特徴とする写真プリントシステム。
【請求項３】
利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段とを備えた写真プリントシステムにおいて、
上記撮影手段による撮影処理が行われる撮影空間、あるいは上記編集手段による編集処理が行われる編集空間として機能する第１および第２の作業空間と、
上記撮影手段を上記第１および第２の作業空間の間で移動させる撮影手段移動手段と、
上記編集手段を上記第１および第２の作業空間の間で移動させる編集手段移動手段と、
上記撮影手段移動手段および上記編集手段移動手段の動作を制御する制御手段とを備え、
上記制御手段が、
上記第１および第２の作業空間のうちの一方に上記撮影手段を移動させるとともに、上記第１および第２の作業空間のうちの他方に上記編集手段を移動させる制御を行うことを特徴とする写真プリントシステム。
【請求項４】
上記撮影手段と、上記編集手段と、上記撮影手段移動手段および／または上記編集手段移動手段とを支持する筐体をさらに備え、
上記筐体の前面が左右２つの領域に分割され、これらの領域がそれぞれ第１および第２の作業空間に含まれるようになっており、上記撮影手段および／または上記編集手段が、それぞれ上記撮影手段移動手段および／または上記編集手段移動手段によって、上記筐体の前面側で左右方向に移動されることを特徴とする請求項１、２、または３記載の写真プリントシステム。
【請求項５】
上記第１および第２の作業空間のそれぞれの周囲が、囲い部材によって囲われているとともに、上記第１および第２の作業空間の広さを変化させるように、上記囲い部材の一部を移動させる囲い部材移動手段を備え、
上記囲い部材が、上記第１および第２の作業空間からなる空間の周囲を囲む周囲部材と、上記第１および第２の作業空間の間を仕切る仕切部材とによって構成されており、
上記囲い部材移動手段が、上記仕切部材を移動させる仕切部材移動手段であることを特徴とする請求項１ないし４のいずれか一項に記載の写真プリントシステム。
【請求項６】
利用者から代金を徴収するための課金受付手段をさらに備え、
上記課金受付手段が、上記撮影手段と連動して移動することを特徴とする請求項２または３に記載の写真プリントシステム。
【請求項７】
利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段と、上記撮影手段による撮影処理が行われる撮影空間、あるいは上記編集手段による編集処理が行われる編集空間として機能する第１および第２の作業空間と、上記編集手段を上記第１および第２の作業空間の間で移動させる編集手段移動手段と、上記編集手段移動手段の動作を制御する制御手段とを備え、上記撮影手段が、上記第１および第２の作業空間にそれぞれ設けられている写真プリントシステムにおける写真プリントシステム制御方法であって、
上記第１および第２の作業空間のうちの一方に上記編集手段を移動させるとともに、上記編集手段が配置される作業空間を上記編集空間として機能させ、上記編集手段が配置されていない方の作業空間を上記撮影空間として機能させる制御を行うことを特徴とする写真プリントシステム制御方法。
【請求項８】
利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段と、上記撮影手段による撮影処理が行われる撮影空間、あるいは上記編集手段による編集処理が行われる編集空間として機能する第１および第２の作業空間と、上記撮影手段を上記第１および第２の作業空間の間で移動させる撮影手段移動手段と、上記撮影手段移動手段の動作を制御する制御手段とを備え、上記編集手段が、上記第１および第２の作業空間にそれぞれ設けられている写真プリントシステムにおける写真プリントシステム制御方法であって、
上記第１および第２の作業空間のうちの一方に上記撮影手段を移動させるとともに、上記撮影手段が配置される作業空間を上記撮影空間として機能させ、上記撮影手段が配置されていない方の作業空間を上記編集空間として機能させる制御を行うことを特徴とする写真プリントシステム制御方法。
【請求項９】
利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段と、上記撮影手段による撮影処理が行われる撮影空間、あるいは上記編集手段による編集処理が行われる編集空間として機能する第１および第２の作業空間と、上記撮影手段を上記第１および第２の作業空間の間で移動させる撮影手段移動手段と、上記編集手段を上記第１および第２の作業空間の間で移動させる編集手段移動手段と、上記撮影手段移動手段および上記編集手段移動手段の動作を制御する制御手段とを備えた写真プリントシステムにおける写真プリントシステム制御方法であって、
上記第１および第２の作業空間のうちの一方に上記撮影手段を移動させるとともに、上記第１および第２の作業空間のうちの他方に上記編集手段を移動させる制御を行うことを特徴とする写真プリントシステム制御方法。
【請求項１０】
上記写真プリントシステムが、上記第１および第２の作業空間のそれぞれの周囲が、囲い部材によって囲われているとともに、上記第１および第２の作業空間の広さを変化させるように、上記囲い部材の一部を移動させる囲い部材移動手段を備えているとともに、
上記囲い部材移動手段の動作の制御を行う写真プリントシステム制御方法であって、
上記囲い部材が、上記第１および第２の作業空間からなる空間の周囲を囲む周囲部材と、上記第１および第２の作業空間の間を仕切る仕切部材とによって構成されており、
上記囲い部材移動手段が、上記仕切部材を移動させる仕切部材移動手段であることを特徴とする請求項７、８、または９に記載の写真プリントシステム制御方法。
【請求項１１】
請求項７ないし１０のいずれか一項に記載の写真プリントシステム制御方法をコンピュータに実行させる写真プリントシステム制御プログラム。
【請求項１２】
請求項７ないし１０のいずれか一項に記載の写真プリントシステム制御方法をコンピュータに実行させる写真プリントシステム制御プログラムを記録した記録媒体。
【発明の詳細な説明】
【０００１】
【発明の属する技術分野】
本発明は、利用者の写真撮影を行うとともに、その写真を背景画像などと合成した上でシールプリントとして出力する写真プリントシステムに関するものである。
【０００２】
【従来の技術】
従来、例えばゲームセンターなどの娯楽施設において、利用者の写真撮影を行うとともに、その写真を背景画像などと合成した上でシールプリントとして出力する写真シール自動販売機が設置されており、人気を博している。この写真シール自動販売機において、写真撮影が行われた後に、表示画面上に表示させた撮影画像に対してタッチペンなどのポインティングデバイスによって画像編集を行うことが可能となっている機種が普及している。この画像編集機能によって、利用者は撮影画像に対して、例えば背景の色や模様を変更したり、文字やイラストなどを書き込んだりすることが可能となり、出力するシールプリントの娯楽性を高めることができる。
【０００３】
上記のような写真シール自動販売機は、撮影、編集、出力機能を有する本体装置に加えて、写真撮影を行うための撮影空間が必要とされるので、全体として比較的大きなスペースを占有することになる。すなわち、例えば娯楽施設においても、写真シール自動販売機を設置するためのスペースには限りがあるので、人気のある機種であっても何台も設置することはできない。したがって、人気のある機種では、利用者が順番待ちのために列を作るというような事態が頻繁に生じている。
【０００４】
これに対して、１台の写真シール自動販売機に、撮影空間とは別の空間に、落書きなどの編集作業用の編集空間を設けた機種が提供されている。このような機種によれば、ある利用者が編集空間において落書きしている間に、別の利用者が撮影空間において撮影作業を行うことが可能となり、客の回転率を向上させることが可能となる。
【０００５】
【発明が解決しようとする課題】
撮影空間と編集空間とを分離した写真シール自動販売機では、本体装置の一方の面に撮影用のカメラなどを設け、その裏側となるもう一方の面に編集用の画面およびタッチペンなどを設けた構成となっている場合が多い。このような機種では、利用者は、撮影空間において撮影を行った後に、本体装置の裏側へ移動して編集空間に入り編集作業を行うことになる。このような移動は、利用者にとって不便さを感じる要因となっている。
【０００６】
また、ある利用者が撮影作業および編集作業を終了した後に、連続して次のプレイを行いたいと思った場合、再び撮影空間に移動することになる。このとき、待ち行列ができている場合には、連続プレイを行いたい利用者はその待ち行列の最後列に並ばなければならないことになる。このように、撮影後に利用者を編集空間に移動させる構成の場合には、連続プレイを行う際の不便さが問題となっていた。
【０００７】
本発明は上記の問題点を解決するためになされたもので、その目的は、１台の写真プリントシステムにおいて同時に２組の利用者を取り扱うことができるとともに、撮影処理から編集処理への移行の際に、利用者自身が移動を行う必要がない写真プリントシステムを提供することにある。
【０００８】
【課題を解決するための手段】
上記の課題を解決するために、本発明に係る写真プリントシステムは、利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段とを備えた写真プリントシステムにおいて、上記撮影手段による撮影処理が行われる撮影空間、あるいは上記編集手段による編集処理が行われる編集空間として機能する第１および第２の作業空間と、上記編集手段を上記第１および第２の作業空間の間で移動させる編集手段移動手段と、上記編集手段移動手段の動作を制御する制御手段とを備え、上記撮影手段が、上記第１および第２の作業空間にそれぞれ設けられているとともに、上記制御手段が、上記第１および第２の作業空間のうちの一方に上記編集手段を移動させるとともに、上記編集手段が配置される作業空間を上記編集空間として機能させ、上記編集手段が配置されていない方の作業空間を上記撮影空間として機能させることを特徴としている。
【０００９】
上記の構成における写真プリントシステムは、利用者の写真撮影を行うとともに、撮影された画像に対して、利用者によって落書き処理などの編集処理を行うことが可能となっているものである。そして、上記の構成では、撮影空間あるいは編集空間として機能する作業空間が２つ設けられているとともに、編集手段が２つの作業空間の間で移動可能となっている。この編集手段の移動は、それぞれ編集手段移動手段によって制御手段の制御のもとに行われる。一方、撮影手段は、第１および第２の作業空間にそれぞれ設けられている。すなわち、編集手段が配置された作業空間が編集空間として機能し、編集手段が配置されていない方の作業空間が撮影空間として機能することになる。
【００１０】
以上の構成によれば、ある利用者が一方の作業空間において撮影処理を完了すると、他方の作業空間から編集手段が利用者のいる作業空間に移動してくることになる。すなわち、利用者自身は移動することなく、撮影処理から編集処理に移行することができる。また、ある利用者が編集処理を行っているときに、同時にもう一方の作業空間において他の利用者による撮影処理を行うことが可能となっている。したがって、１台の写真プリントシステムにおいて同時に２組の利用者を取り扱うことができるとともに、撮影処理から編集処理への移行の際に、利用者自身が移動を行う必要をなくすことができる。よって、利用者の回転率を向上させることができるとともに、利用者の利便性を向上させることができる。
【００１１】
また、ある利用者が撮影作業および編集作業を終了した後に、連続して次のプレイを行いたいと思った場合には、編集作業終了後にその作業空間に残っていれば、再びその作業空間が撮影空間として機能するように編集手段の移動が行われることになる。よって、従来のように、連続プレイを行う場合に、一度装置の外に出て、待ち行列ができている場合にはその最後尾に並び直すというような不便さを解消することができる。
【００１２】
また、２つの作業空間で、１つの編集手段を共有して使用することになるので、２台の写真プリントシステムを設置する場合よりも、装置コストを低く抑えることが可能となる。
【００１３】
また、上記の課題を解決するために、本発明に係る写真プリントシステムは、利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段とを備えた写真プリントシステムにおいて、上記撮影手段による撮影処理が行われる撮影空間、あるいは上記編集手段による編集処理が行われる編集空間として機能する第１および第２の作業空間と、上記撮影手段を上記第１および第２の作業空間の間で移動させる撮影手段移動手段と、上記撮影手段移動手段の動作を制御する制御手段とを備え、上記編集手段が、上記第１および第２の作業空間にそれぞれ設けられているとともに、上記制御手段が、上記第１および第２の作業空間のうちの一方に上記撮影手段を移動させるとともに、上記撮影手段が配置される作業空間を上記撮影空間として機能させ、上記撮影手段が配置されていない方の作業空間を上記編集空間として機能させることを特徴としている。
【００１４】
上記の構成では、撮影手段が２つの作業空間の間で移動可能となっている。この撮影手段の移動は、それぞれ撮影手段移動手段によって制御手段の制御のもとに行われる。一方、編集手段は、第１および第２の作業空間にそれぞれ設けられている。すなわち、撮影手段が配置された作業空間が撮影空間として機能し、撮影手段が配置されていない方の作業空間が編集空間として機能することになる。
【００１５】
以上の構成によれば、ある利用者が一方の作業空間において撮影処理を完了すると、撮影手段が該利用者のいる作業空間から他方の作業空間に移動することになる。すなわち、利用者自身は移動することなく、撮影処理から編集処理に移行することができる。また、ある利用者が編集処理を行っているときに、同時にもう一方の作業空間において他の利用者による撮影処理を行うことが可能となっている。したがって、１台の写真プリントシステムにおいて同時に２組の利用者を取り扱うことができるとともに、撮影処理から編集処理への移行の際に、利用者自身が移動を行う必要をなくすことができる。よって、利用者の回転率を向上させることができるとともに、利用者の利便性を向上させることができる。
【００１６】
また、ある利用者が撮影作業および編集作業を終了した後に、連続して次のプレイを行いたいと思った場合には、編集作業終了後にその作業空間に残っていれば、再びその作業空間が撮影空間として機能するように撮影手段の移動が行われることになる。よって、従来のように、連続プレイを行う場合に、一度装置の外に出て、待ち行列ができている場合にはその最後尾に並び直すというような不便さを解消することができる。
【００１７】
また、２つの作業空間で、１つの撮影手段を共有して使用することになるので、２台の写真プリントシステムを設置する場合よりも、装置コストを低く抑えることが可能となる。
【００１８】
また、上記の課題を解決するために、本発明に係る写真プリントシステムは、利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段とを備えた写真プリントシステムにおいて、上記撮影手段による撮影処理が行われる撮影空間、あるいは上記編集手段による編集処理が行われる編集空間として機能する第１および第２の作業空間と、上記撮影手段を上記第１および第２の作業空間の間で移動させる撮影手段移動手段と、上記編集手段を上記第１および第２の作業空間の間で移動させる編集手段移動手段と、上記撮影手段移動手段および上記編集手段移動手段の動作を制御する制御手段とを備え、上記制御手段が、上記第１および第２の作業空間のうちの一方に上記撮影手段を移動させるとともに、上記第１および第２の作業空間のうちの他方に上記編集手段を移動させる制御を行うことを特徴としている。
【００１９】
上記の構成では、撮影手段および編集手段が２つの作業空間の間で移動可能となっている。この撮影手段および編集手段の移動は、それぞれ撮影手段移動手段および編集手段移動手段によって制御手段の制御のもとに行われ、それぞれ異なる作業空間に配置されるように移動することになる。すなわち、撮影手段が配置された作業空間が撮影空間として機能し、編集手段が配置された作業空間が編集空間として機能することになる。
【００２０】
以上の構成によれば、ある利用者が一方の作業空間において撮影処理を完了すると、撮影手段が該利用者のいる作業空間から他方の作業空間に移動するとともに、他方の作業空間から編集手段が利用者のいる作業空間に移動してくることになる。すなわち、利用者自身は移動することなく、撮影処理から編集処理に移行することができる。また、ある利用者が編集処理を行っているときに、同時にもう一方の作業空間において他の利用者による撮影処理を行うことが可能となっている。したがって、１台の写真プリントシステムにおいて同時に２組の利用者を取り扱うことができるとともに、撮影処理から編集処理への移行の際に、利用者自身が移動を行う必要をなくすことができる。よって、利用者の回転率を向上させることができるとともに、利用者の利便性を向上させることができる。
【００２１】
また、ある利用者が撮影作業および編集作業を終了した後に、連続して次のプレイを行いたいと思った場合には、編集作業終了後にその作業空間に残っていれば、再びその作業空間が撮影空間として機能するように撮影手段および編集手段の移動が行われることになる。よって、従来のように、連続プレイを行う場合に、一度装置の外に出て、待ち行列ができている場合にはその最後尾に並び直すというような不便さを解消することができる。
【００２２】
また、２つの作業空間で、撮影手段および編集手段を共有して使用することになるので、２台の写真プリントシステムを設置する場合よりも、装置コストを低く抑えることが可能となる。
【００２３】
また、本発明に係る写真プリントシステムは、上記の構成において、上記撮影手段と、上記編集手段と、上記撮影手段移動手段および／または上記編集手段移動手段とを支持する筐体をさらに備え、上記筐体の前面が左右２つの領域に分割され、これらの領域がそれぞれ第１および第２の作業空間に含まれるようになっており、上記撮影手段および／または上記編集手段が、それぞれ上記撮影手段移動手段および／または上記編集手段移動手段によって、上記筐体の前面側で左右方向に移動される構成としてもよい。
【００２４】
上記の構成によれば、各構成を支持する筐体の前面において、撮影手段および／または編集手段が左右方向に移動する構成となるので、撮影手段および／または編集手段の移動は直線的に行えばよいことになる。したがって、撮影手段移動手段および／または編集手段移動手段における移動機構は比較的簡単な構成とすることができる。
【００２５】
また、筐体の前面において作業空間が２つに分割されることになるので、作業空間は、筐体の前面側にのみ配置されることになる。したがって、筐体の裏面側に作業空間を設ける必要がなくなるので、例えば筐体の裏側を壁に接するような状態で写真プリントシステムを配置することが可能となり、娯楽施設などにおける装置の配置形態の自由度を向上させることができる。
【００２６】
また、本発明に係る写真プリントシステムは、上記の構成において、上記第１および第２の作業空間のそれぞれの周囲が、囲い部材によって囲われているとともに、上記第１および第２の作業空間の広さを変化させるように、上記囲い部材の少なくとも一部を移動させる囲い部材移動手段を備えている構成としてもよい。
【００２７】
上記の構成によれば、第１および第２の作業空間のそれぞれは、囲い部材によって囲われていることになる。よって、各作業空間はそれぞれ独立したものとなるので、互いに隣の作業空間からの影響を受けない環境を構築することができる。例えば、隣の作業空間に他の利用者が利用している場合のプライバシーの問題や、撮影時に隣の作業空間からの光の漏洩に関する問題などを解消することができる。
【００２８】
また、囲い部材移動手段によって囲い部材の少なくとも一部を移動させ、これにより第１および第２の作業空間の広さを変化させることが可能となっている。よって、例えば、比較的広い空間が必要とされる撮影空間として機能する作業空間の広さを広くするとともに、あまり広い空間が必要とされない編集空間として機能する作業空間の広さを狭くする、というような制御を行うことが可能となる。このように、状況に応じて作業空間の広さを変更させることによって、写真プリントシステムの設置面積を必要最低限に抑えることが可能となるので、娯楽施設などにおける設置スペース上の問題を低減することができる。
【００２９】
また、本発明に係る写真プリントシステムは、上記の構成において、上記囲い部材が、上記第１および第２の作業空間からなる空間の周囲を囲む周囲部材と、上記第１および第２の作業空間の間を仕切る仕切部材とによって構成されており、上記囲い部材移動手段が、上記仕切部材を移動させる仕切部材移動手段である構成としてもよい。
【００３０】
上記の構成によれば、仕切部材を移動させることによって、第１および第２の作業空間の広さを変更させることになる。この場合、周囲部材は固定であるので、写真プリントシステム全体の設置面積を不変とした状態で、内部において第１および第２の作業空間の広さを変更することが可能となる。
【００３１】
また、第１および第２の作業空間の間を仕切る仕切部材を移動させるだけでよいので、比較的簡素な構成によって第１および第２の作業空間の広さを変更することが可能となる。
【００３２】
また、本発明に係る写真プリントシステムは、上記の構成において、上記仕切部材移動手段が、上記制御手段による制御によって動作する構成としてもよい。
【００３３】
上記の構成によれば、仕切部材の移動が制御手段の制御に基づいて行われるので、撮影手段および編集手段の移動に連動して仕切部材を移動させることが可能となる。すなわち、撮影空間として機能する場合と編集空間として機能する場合との両方において、的確な作業空間の広さに設定することが可能となる。
【００３４】
また、本発明に係る写真プリントシステムは、上記の構成において、上記撮影手段が、利用者の撮影を行う撮影カメラと、上記撮影カメラによる撮影画面および操作指示内容表示画面を表示する表示手段と、操作入力手段とを備えている構成としてもよい。
【００３５】
上記の構成によれば、撮影手段に、撮影カメラ、表示手段、および操作入力手段が設けられており、このような撮影手段が撮影処理時に撮影空間に配置されることになる。すなわち、例えば表示手段や操作入力手段などは、撮影手段に１つだけ設ければよいことになり、各作業空間に１つずつ設ける必要がなくなる。よって、構成部品を少なくすることができるので、装置コストの低減を図ることができる。
【００３６】
また、本発明に係る写真プリントシステムは、上記の構成において、上記編集手段が、編集対象となる画像を含む編集画面を表示する編集表示手段と、利用者による編集処理を受け付ける編集入力手段とを備えている構成としてもよい。
【００３７】
上記の構成によれば、編集手段に、編集表示手段および編集入力手段が設けられており、このような編集手段が編集処理時に編集空間に配置されることになる。すなわち、編集処理時には、編集手段が備える上記各手段のみで十分に編集処理が可能となるので、編集処理に必要な手段を各作業空間に１つずつ設ける必要がなくなる。よって、構成部品を少なくすることができるので、装置コストの低減を図ることができる。
【００３８】
また、本発明に係る写真プリントシステムは、上記の構成において、利用者から代金を徴収するための課金受付手段をさらに備え、上記課金受付手段が、上記撮影手段と連動して移動する構成としてもよい。
【００３９】
一般的に、課金処理は撮影処理を開始する前に行われるものである。この場合、上記の構成によれば、課金受付手段が撮影手段と連動して移動するので、課金受付手段は１つだけ設ければよいことになり、各作業空間に１つずつ設ける必要がなくなる。よって、構成部品を少なくすることができるので、装置コストの低減を図ることができる。
【００４０】
また、本発明に係る写真プリントシステム制御方法は、利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段と、上記撮影手段による撮影処理が行われる撮影空間、あるいは上記編集手段による編集処理が行われる編集空間として機能する第１および第２の作業空間と、上記編集手段を上記第１および第２の作業空間の間で移動させる編集手段移動手段と、上記編集手段移動手段の動作を制御する制御手段とを備え、上記撮影手段が、上記第１および第２の作業空間にそれぞれ設けられている写真プリントシステムにおける写真プリントシステム制御方法であって、上記第１および第２の作業空間のうちの一方に上記編集手段を移動させるとともに、上記編集手段が配置される作業空間を上記編集空間として機能させ、上記編集手段が配置されていない方の作業空間を上記撮影空間として機能させる制御を行うことを特徴としている。
【００４１】
また、本発明に係る写真プリントシステム制御方法は、利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段と、上記撮影手段による撮影処理が行われる撮影空間、あるいは上記編集手段による編集処理が行われる編集空間として機能する第１および第２の作業空間と、上記撮影手段を上記第１および第２の作業空間の間で移動させる撮影手段移動手段と、上記撮影手段移動手段の動作を制御する制御手段とを備え、上記編集手段が、上記第１および第２の作業空間にそれぞれ設けられている写真プリントシステムにおける写真プリントシステム制御方法であって、上記第１および第２の作業空間のうちの一方に上記撮影手段を移動させるとともに、上記撮影手段が配置される作業空間を上記撮影空間として機能させ、上記撮影手段が配置されていない方の作業空間を上記編集空間として機能させる制御を行うことを特徴としている。
【００４２】
また、本発明に係る写真プリントシステム制御方法は、利用者の撮影を行う撮影手段と、上記撮影手段によって撮影された画像に対して利用者による編集処理が行われる編集手段と、上記編集手段によって編集が行われた画像に基づいて、プリント紙に対して画像の出力を行う画像出力手段と、上記撮影手段による撮影処理が行われる撮影空間、あるいは上記編集手段による編集処理が行われる編集空間として機能する第１および第２の作業空間と、上記撮影手段を上記第１および第２の作業空間の間で移動させる撮影手段移動手段と、上記編集手段を上記第１および第２の作業空間の間で移動させる編集手段移動手段と、上記撮影手段移動手段および上記編集手段移動手段の動作を制御する制御手段とを備えた写真プリントシステムにおける写真プリントシステム制御方法であって、上記第１および第２の作業空間のうちの一方に上記撮影手段を移動させるとともに、上記第１および第２の作業空間のうちの他方に上記編集手段を移動させる制御を行うことを特徴としている。
【００４３】
上記の３つの方法によれば、上記した本発明に係る写真プリントシステムに関する作用において記載したように、１台の写真プリントシステムにおいて同時に２組の利用者を取り扱うことができるとともに、撮影処理から編集処理への移行の際に、利用者自身が移動を行う必要をなくすことができる。よって、利用者の回転率を向上させることができるとともに、利用者の利便性を向上させることができる。
【００４４】
また、ある利用者が撮影作業および編集作業を終了した後に、連続して次のプレイを行いたいと思った場合には、編集作業終了後にその作業空間に残っていれば、再びその作業空間が撮影空間として機能するように撮影手段および編集手段の移動が行われることになる。よって、従来のように、連続プレイを行う場合に、一度装置の外に出て、待ち行列ができている場合にはその最後尾に並び直すというような不便さを解消することができる。
【００４５】
また、２つの作業空間で、撮影手段および／または編集手段を共有して使用することになるので、２台の写真プリントシステムを設置する場合よりも、装置コストを低く抑えることが可能となる。
【００４６】
また、本発明に係る写真プリントシステム制御方法は、上記の方法において、上記写真プリントシステムが、上記第１および第２の作業空間のそれぞれの周囲が、囲い部材によって囲われているとともに、上記第１および第２の作業空間の広さを変化させるように、上記囲い部材の少なくとも一部を移動させる囲い部材移動手段を備えているとともに、上記囲い部材移動手段の動作の制御を行う方法としてもよい。
【００４７】
上記の方法によれば、囲い部材の移動が制御手段の制御に基づいて行われるので、撮影手段および編集手段の移動に連動して囲い部材を移動させることが可能となる。すなわち、撮影空間として機能する場合と編集空間として機能する場合との両方において、的確な作業空間の広さに設定することが可能となる。
【００４８】
また、本発明に係る写真プリントシステム制御プログラムは、上記本発明に係る写真プリントシステム制御方法をコンピュータに実行させることを特徴としている。
【００４９】
上記プログラムをコンピュータシステムにロードすることによって、上記写真プリントシステム制御方法を実現することが可能となる。
【００５０】
また、本発明に係る写真プリントシステム制御プログラムを記録した記録媒体は、上記本発明に係る写真プリントシステム制御方法をコンピュータに実行させる写真プリントシステム制御プログラムを記録していることを特徴としている。
【００５１】
上記記録媒体に記録されたプログラムをコンピュータシステムにロードすることによって、上記写真プリントシステム制御方法を実現することが可能となる。
【００５２】
また、本発明に係るプリント紙ユニットは、画像が印刷されるプリント紙と、上記プリント紙に関する識別情報を記録する識別媒体とを備え、上記本発明に係る写真プリントシステムに備えられた識別情報読み取り手段によって、上記識別媒体に記録されている識別情報が読み取られ、その内容が確認された上で上記プリント紙に画像が出力されることを特徴としている。
【００５３】
上記の構成によれば、識別情報読み取り手段で読みとった識別情報に基づいて、装着されたプリント紙が、当該写真プリントシステムにおいて利用可能なものであるかを判定し、利用可能である場合にのみプリンタを動作可能とすることが可能となる。すなわち、写真プリントシステムにおいて指定されているプリント紙以外は使用できないように設定することが可能となる。
【００５４】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。
【００５５】
また、識別情報に用紙種類情報を含ませることによって、これらを考慮して画像データの色成分などを補正することにより、その用紙やインクフィルムに的確な画像出力を行うことが可能となる。
【００５６】
【発明の実施の形態】
本発明の実施の一形態について図１ないし図１２に基づいて説明すれば、以下のとおりである。
【００５７】
図１は、本実施形態に係る写真プリントシステムにおける写真プリント出力装置１の外観を示している。この写真プリント出力装置１は、利用者の写真を撮影する機能と、撮影した写真に対して落書きなどの編集を利用者に行わせる機能とを有している。そして、写真プリント出力装置１の筐体１Ａにおける前面に、左右分割する形で２つの作業空間Ａ・Ｂを設ける構成とし、一方の作業空間が撮影空間、他方の作業空間が編集空間として機能するとともに、これらの空間が互いに入れ替えられるようになっている。以降、この構成について詳しく説明する。
【００５８】
図１に示すように、写真プリント出力装置１は、撮影ユニット（撮影手段）２、編集ユニット（編集手段）３を備えている。撮影ユニット２は撮影作業に必要な機能を備えたユニットであり、編集ユニット３は編集作業に必要な機能を備えたユニットである。この撮影ユニット２および編集ユニット３は、それぞれ作業空間Ａと作業空間Ｂとの間で移動可能に設けられている。詳しく説明すると、筐体１Ａの前面に、左右方向に延びた撮影ユニット用レール（撮影手段移動手段）４Ａ、および編集ユニット用レール（編集手段移動手段）４Ｂがそれぞれ所定の高さ位置に設けられており、それぞれのレール上を撮影ユニット２および編集ユニット３が移動するようになっている。また、撮影ユニット２および編集ユニット３は、互いに異なる作業区間に配置されるように移動制御される。すなわち、撮影ユニット２が配置されている作業空間は撮影空間として機能し、編集ユニット３が配置されている作業空間は編集空間として機能することになる。なお、撮影ユニット２および編集ユニット３の詳細については後述する。
【００５９】
また、筐体１Ａには、照明装置７Ａ…・７Ｂ…、スピーカ８Ａ・８Ｂ、コイン投入口５Ａ・５Ｂ（課金受付手段）、およびプリント排出口６Ａ・６Ｂが設けられている。
【００６０】
照明装置７Ａ…・７Ｂ…は、撮影時にフラッシュとして機能するとともに、通常時の照明として機能するものである。また、照明装置７Ａ…は、作業空間Ａ内の照明として筐体１Ａの前面における作業空間Ａの領域に配置され、照明装置７Ｂ…は、作業空間Ｂ内の照明として筐体１Ａの前面における作業空間Ｂの領域に配置されている。
【００６１】
なお、本実施形態では、両方の作業空間にそれぞれフラッシュ機能および照明機能を有する照明装置を配置した構成となっているが、これに限定するものではない。例えば、通常時の照明用の照明装置を両方の作業空間に設ける一方、撮影時のフラッシュ用の照明装置を、撮影ユニット２に含める、あるいは撮影ユニット２の移動と連動して移動するような構成としてもよい。しかしながら、特に女性の利用者は撮影写真において肌がきれいに写ることを望む傾向が強く、撮影時のフラッシュ光量を強くすることや、広範囲からフラッシュ光を照射することなどが望まれている。したがって、フラッシュ用の照明装置はある程度大型にする必要があるので、フラッシュ用の照明装置を移動させる構成をとることは困難である場合が多い。
【００６２】
スピーカ８Ａ・８Ｂは、利用者に対して各種操作上のガイダンス音声や効果音などを出力するための拡声装置であり、スピーカ８Ａは作業空間Ａ内に、スピーカ８Ｂは作業空間Ｂ内にそれぞれ設けられている。
【００６３】
コイン投入口５Ａ・５Ｂは、利用者がプレイ料金として所定金額のコインを投入するための投入口であり、コイン投入口５Ａは作業空間Ａ内に、コイン投入口５Ｂは作業空間Ｂ内にそれぞれ設けられている。また、図示はしていないが、コイン投入口５Ａ・５Ｂには、それぞれ課金処理部が設けられており、所定料金が投入されたか否かのチェック処理や釣り銭処理などが、作業空間Ａの利用者および作業空間Ｂの利用者のそれぞれに対して行われる。また、図示はしていないが、利用者から徴収したコインを蓄積するコイン容器が筐体１Ａの内部に設けられている。このコイン容器は、作業空間Ａ用と作業空間Ｂ用とにそれぞれ設けてもよいし、共用で１つ設けてもよい。
【００６４】
なお、本実施形態では、両方の作業空間にそれぞれコイン投入口を配置した構成となっているが、これに限定するものではない。例えば、コイン投入口を撮影ユニット２に含める、あるいは撮影ユニット２の移動と連動して移動するような構成としてもよい。図１２は、コイン投入口５を撮影ユニット２に設けた例を示している。このような構成の場合、コイン投入口および課金処理部などの構成を１つにすることができるので、構成の簡素化を図ることができるが、コイン容器も移動させる構成とすると、筐体１Ａ内にコイン容器を備えさせる場合と比較して堅牢性に劣るというデメリットがある。また、コイン容器を移動させる場合には、コイン容器をあまり大きくできない可能性が高くなるので、コインの蓄積容量が低くなり、頻繁にコイン回収メンテナンスを行わなければならないというデメリットもある。
【００６５】
プリント排出口６Ａ・６Ｂは、利用者が撮影作業および編集作業を終了した後に、プリントされた写真プリントが排出される箇所である。これらのプリント排出口６Ａ・６Ｂは、筐体１Ａの２つの側面のうち、作業空間Ａ側の面および作業空間Ｂ側の面（図１では左側面および右側面）にそれぞれ配置されており、それぞれ作業空間Ａおよび作業空間Ｂで処理された写真プリントが排出される。なお、図１においては、図の都合上、筐体１Ａの左側面が陰になっていることにより、プリント排出口６Ａは図示されていない。
【００６６】
なお、本実施形態ではプリント排出口を２つ設けているが、これに限定するものではなく、例えば筐体１Ａの裏側面などに作業空間Ａおよび作業空間Ｂで共通に用いられるプリント排出口が設けられた構成となっていてもよい。また、プリント排出口６Ａ・６Ｂを、それぞれ筐体１Ａにおける前面の作業空間Ａ内および作業空間Ｂ内に設ける構成としてもよい。これらの構成例のメリット・デメリットについては後述する。
【００６７】
以上のように、本実施形態における写真プリント出力装置１によれば、撮影ユニット２が配置されている作業空間にて利用者が撮影作業を終了すると、撮影ユニット２がその作業空間から隣の作業空間に移動するとともに、隣の作業空間から編集ユニット３が移動してくるような構成とすることができる。すなわち、利用者は移動することなく、撮影作業から編集作業に移行することが可能となる。
【００６８】
次に、写真プリントシステムの全体的な構成について説明する。図２は、写真プリントシステムを上側から見た際の状態を示している。同図に示すように、写真プリントシステムは、写真プリント出力装置１と、作業空間Ａ・Ｂの周囲を囲うように設けられた周囲幕（周囲部材）１０とを備えた構成となっている。周囲幕１０は、撮影時に外部からの光が内部に入ってこないように、遮光性を有するビニールシートなどによって構成されている。この周囲幕１０は、写真プリント出力装置１から離れるにつれて横幅方向に広がるような形状で作業空間Ａ・Ｂを囲っている。
【００６９】
また、周囲幕１０には、写真プリント出力装置１に対向する位置に進入口１０Ｃが、作業空間Ａの側面側に退出口１０Ａが、作業空間Ｂの側面側に退出口１０Ｂがそれぞれ設けられている。これらの進入口１０Ｃ、退出口１０Ａ・１０Ｂは、例えば扉のような形態となっていてもよいし、上部からビニールシートを垂れ下げた形態となっていてもよい。また、進入口および退出口の位置および数は、上記の例に限定されるものではなく、利用者の出入りがスムーズに行われるような形態であればどのような構成としてもよい。
【００７０】
また、作業空間Ａと作業空間Ｂとの間には、仕切幕（仕切部材）９が設けられている。この仕切幕９は、作業空間Ａと作業空間Ｂとを分断するためのものであり、例えば遮光性を有するビニールシートなどによって構成される。また、この仕切幕９は、写真プリント出力装置１の前面に接する位置に設けられた支点９Ａを中心に、所定の角度範囲で回動可能となっている。この仕切幕９の回動によって、周囲幕１０に囲われる空間のうち、作業空間Ａに割り当てられる空間と作業空間Ｂに割り当てられる空間との比率を変更することが可能となっている。
【００７１】
図３は、仕切幕９の移動機構の構成例を示している。仕切幕９は、その上部および下部に設けられた仕切幕支持レール９Ｂ・９Ｂの間に張られた形態で設けられている。この仕切幕支持レール９Ｂ・９Ｂの一方の端部は支点９Ａに接続されているとともに、他方の端部は、支点９Ａを中心とする円弧形状に設けられた仕切幕移動レール９Ｃ・９Ｃ上で滑動自在となるように支持されている。そして、支点９Ａには、仕切幕支持レール９Ｂ・９Ｂを回動させるトルクを発生する回動駆動モータ（図示せず）が設けられている。写真プリント出力装置１は、撮影空間として設定する作業空間を、撮影空間として適した広さとなるように、回動駆動モータを制御することによって仕切幕９の配置位置を決定する。なお、仕切幕９の移動機構は上記の例に限定されるものではなく、例えば仕切幕移動レール９Ｃに移動駆動力を与える構成などでもよい。また、上記のように機械的な制御によって仕切幕９を移動させるのではなく、手動によって仕切幕９を移動させる構成としてもかまわない。
【００７２】
ここで、仕切幕９を上記のように移動させることの目的について説明する。前記したように、例えば娯楽施設などにおいては、写真プリントシステムを設置するためのスペースには限りがあり、できるだけ占有するスペースの小さい装置が望まれている。一方、利用者の顔付近を撮影するアップ撮影のみならず、利用者の全身を撮影する全身撮影に対応させるためには、比較的広い撮影空間を確保する必要がある。また、利用者の人数が多少多くなっても撮影が行えるようにするためにも、撮影空間はある程度広い方が好ましい。これに対して、編集空間としては、それほど広い空間は必要とされない。
【００７３】
本実施形態における写真プリントシステムでは、作業空間を２つ設けており、これらは状況に応じて撮影空間としても編集空間としても機能するようになっている。よって、両方の作業空間を、それぞれ撮影空間として十分な広さを有する空間となるように設定してしまうと、写真プリントシステム全体が占めるスペースが極めて大きくなってしまうことになる。
【００７４】
そこで、上記したように、仕切幕９を移動可能とすればし、例えば作業空間Ａが撮影空間として機能している状況では、仕切幕９を作業空間Ｂ側へ移動させることによって、作業空間Ａを撮影空間として十分な広さとなるようにするとともに、作業空間Ｂを編集空間として必要最低限の広さとなるようにすることができる。すなわち、仕切幕９を移動可能とすることによって、一方の作業空間を撮影空間として適当な広さとし、他方の作業空間を編集空間として最低限の広さとすることが可能となる。したがって、両方の作業空間を、それぞれ撮影空間として十分な広さを有する空間となるように設定する場合と比較して、作業空間Ａおよび作業空間Ｂのトータルの占有スペースを小さくすることができる。
【００７５】
また、撮影空間は、撮影カメラの視野角特性により、撮影カメラから離れるほど広くなっていることが好ましい。これに対して、周囲幕１０は、写真プリント出力装置１から離れるほど横幅が広くなっているとともに、仕切幕９は、写真プリント出力装置１に接する支点９Ａを中心に扇状に回動する構成となっている。よって、撮影空間として機能している作業空間は、撮影カメラから離れるほど広くなる形状となり、必要最低限のスペースで撮影空間として適した空間を構築することが可能となっている。
【００７６】
次に、図２を参照しながら、利用者の移動経路について説明する。まず、利用者は、周囲幕１０に設けられた進入口１０Ｃから写真プリントシステムの内部に進入する。ここで、作業空間Ａが撮影空間として設定されている場合、図２に示すように、仕切幕９は作業空間Ａが広くなる方向、すなわち左側に移動していることになる。したがって、進入口１０Ｃから進入してきた利用者は、仕切幕９によって進入しにくい作業空間Ｂ（編集空間）ではなく、自然に進入しやすい作業空間Ａ（撮影空間）に進入することになる。
【００７７】
利用者が作業空間Ａで撮影処理を終了すると、撮影ユニット２が作業空間Ａから退去するとともに、編集ユニット３が作業空間Ａ内に進入してくる。そして、利用者はこの編集ユニット３を用いて落書きなどの編集処理を行う。編集処理が終了すると、利用者は退出口１０Ａから作業空間Ａを退出し、筐体１Ａにおける作業空間Ａ側の側面に設けられたプリント排出口６Ａから写真プリントを入手する。
【００７８】
ここで、上記の構成のように、プリント排出口６Ａ・６Ｂが、筐体１Ａの２つの側面のうち、作業空間Ａ側の面および作業空間Ｂ側の面にそれぞれ配置されており、それぞれ作業空間Ａおよび作業空間Ｂで処理された写真プリントが排出されるようになっていることによって、利用者は、退出口１０Ａ・１０Ｂから退出してから、近傍に設けられているプリント排出口６Ａ・６Ｂに迷うことなく到達することができる。
【００７９】
また、各作業空間ごとに別に退出口を設けることによって、連続して異なる利用者が利用した場合に、出力された写真プリントが混同されるおそれを低減することができる。また、ある利用者が連続してプレイを行う際に、１回のプレイが終了するたびに出力された写真プリントをプリント排出口に取りに行く必要はなく、連続プレイが終了した時点で、それまでに出力された写真プリントをまとめてプリント排出口から取り出せばよいことになる。
【００８０】
また、筐体１Ａの裏側面にプリント排出口を設けない構成とすることによって、筐体１Ａの裏側面を壁などに近接させた状態で写真プリントシステムを配置することが可能となるので、設置場所の自由度を向上させることができる。
【００８１】
一方、プリント排出口を２つ設ける構成とすると、プリンタを２台設けるか、あるいは１台のプリンタから出力された写真プリントを異なる２つのプリント排出口に向けて搬送する搬送手段を設けるなどの構成が必要となり、コストアップを招くというデメリットがある。
【００８２】
次に、撮影ユニット２の構成について説明する。図４は、撮影ユニット２の外観を正面から見た状態を示している。同図に示すように、撮影ユニット２には、撮影カメラ１１、表示モニタ（表示手段）１２、切替／選択ボタン（操作入力手段）１３、およびシャッタボタン（操作入力手段）１４が設けられている。
【００８３】
撮影カメラ１１は、例えばレンズ群、絞り、ＣＣＤ(Charge Coupled Device)撮像素子などを備えたデジタルカメラによって構成される。この撮影カメラ１１は、全身撮影とアップ撮影との両方に対応できるように、例えば使用するレンズ群および絞りを切り替えられるような構成となっている。
【００８４】
表示モニタ１２は、撮影処理における各種操作内容の表示や、撮影時の撮影画面表示などに用いられるモニタである。この表示モニタ１２は、例えば液晶表示素子などのフラットパネルディスプレイや、小型のＣＲＴ(Cathode Ray Tube)などによって構成される。
【００８５】
切替／選択ボタン１３は、例えば全身撮影とアップ撮影との切り替えを指示したり、その他、表示モニタ１２に表示される操作内容に応じて何らかの選択を行う際に用いたりするボタンである。シャッタボタン１４は、撮影を指示するためのシャッタボタンとして機能するとともに、表示モニタ１２に表示される操作内容に応じて何らかの決定を指示する際に用いたりするボタンである。
【００８６】
次に、編集ユニット３の構成について説明する。図５は、編集ユニット３の外観を示している。同図に示すように、編集ユニット３は、編集表示パネル（編集表示手段）（編集入力手段）３Ａ、およびタッチペン３Ｂを備えた構成となっている。
【００８７】
編集表示パネル３Ａは、落書きなどの編集処理時に、編集対象の画像の表示や各種編集ツールの選択表示などを行うものである。この編集表示パネル３Ａは、例えば液晶表示素子などのフラットパネルディスプレイやＣＲＴなどによって構成されるとともに、その表面にタッチパネルが設けられている。
【００８８】
タッチペン３Ｂは、編集表示パネル３Ａにおけるタッチパネルを利用して、落書きなどの画像描画や、表示されている各種編集ツール、操作ボタンなどの選択を行うためのペンである。
【００８９】
次に、上記写真プリントシステムの構成について、図６に示すブロック図を参照しながら説明する。
【００９０】
次に、上記写真プリントシステムの構成について、図６に示すブロック図を参照しながら説明する。同図に示すように、写真プリントシステムは、前記した撮影ユニット２、編集ユニット３、および仕切幕９に加えて、制御装置（制御手段）１６、記憶装置１７、課金処理部１８、照明装置１９、ＩＤタグリーダ／ライタ（識別情報読み取り手段）２０、プリンタ（画像出力手段）２１、仕切幕移動装置（仕切部材移動手段）２２、撮影ユニット移動装置（撮影手段移動手段）２３、および編集ユニット移動装置（編集手段移動手段）２４を備えている。
【００９１】
制御装置１６は、写真プリントシステム内における上述した各種構成の動作を統括的に制御するものである。この制御装置１６は、例えばＰＣベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置１６がインターネットなどの通信ネットワークに接続された構成とする場合、この通信ネットワークを介して上記プログラムをダウンロードしてハードディスクなどにインストールして実行する形態なども考えられる。
【００９２】
記憶装置１７は、上記したハードディスクなどの不揮発性の記憶装置によって構成されるものである。この記憶装置１７に記憶される内容としては、上記した制御プログラム、ＯＳ(Operating System)プログラム、およびその他各種プログラム、撮影カメラにおける動作設定値、撮影した画像および編集した画像の画像データなどが挙げられる。上記の撮影カメラにおける動作設定値としては、装置出荷時やメンテナンス時などに設定されるホワイトバランスの値、撮影画像の明暗などを調整する際の画像処理に関する各種パラメータ値などが挙げられる。
【００９３】
課金処理部１８は、利用者から徴収する課金に関する処理を行うブロックである。課金処理部１８による課金状況に応じて、制御装置１６が該当利用者に対する動作を制御する。
【００９４】
照明装置１９は、前記した照明装置７Ａ…・７Ｂ…に相当するものであり、撮影時にフラッシュとして機能するとともに、通常時の照明としても機能するものである。制御装置１６は、照明装置１９に対して、撮影の瞬間にフラッシュ照明を行わせるなどの制御を行う。
【００９５】
ＩＤタグリーダ／ライタ２０およびプリンタ２１は、プリンタユニットを構成しており、このプリンタユニットに対して、写真プリントの出力媒体となるプリント紙２９およびＩＤタグ（識別媒体）２８がプリント紙ユニットとしてセットで納入されるようになっている。
【００９６】
プリンタ２１は、出力すべき画像データが制御装置１６から送られてくると、その画像データに基づいてプリント紙２９に印刷を行うものである。このプリンタ２１としては、例えば昇華型プリンタが用いられる。なお、昇華型プリンタを用いる場合には、プリント紙２９およびＩＤタグ２８に加えて、昇華型用インクフィルムがセットととなって納入されることになる。
【００９７】
ＩＤタグリーダ／ライタ２０は、ＩＤタグ２８に記録されている各種識別情報を読み出して制御装置１６に出力する。ＩＤタグ２８は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００９８】
制御装置１６は、ＩＤタグリーダ／ライタ２０で読みとった識別情報に基づいて、装着されたプリント紙２９およびインクフィルムが、当該写真プリント出力装置１において利用可能なものであるかを判定し、利用可能である場合にのみプリンタ２１を動作可能とする。すなわち、写真プリント出力装置１において指定されているプリント紙２９およびインクフィルム以外は使用できないように設定されていることになる。
【００９９】
また、ＩＤタグ２８に記録されている用紙枚数情報に基づいて、プリント紙を使用するごとに用紙枚数をカウントダウンしていくことによって、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。なお、用紙枚数をカウントダウンする際には、ＩＤタグ２８に記録されている用紙枚数情報も書き換えるようにする。これにより、用紙を使い切った場合には、ＩＤタグ２８に記録されている用紙枚数情報も０となり、このＩＤタグ２８を無効にすることが可能となる。
【０１００】
また、ＩＤタグ２８に記録されている用紙種類情報や、インク固有の色情報を読み出すことによって、これらを考慮して画像データの色成分などを補正することにより、その用紙やインクフィルムに的確な画像出力を行うことが可能となる。
【０１０１】
ＩＤタグ２８としては、無線によりデータ通信を行うことが可能な非接触型ＩＤタグと、端子が設けられた接触型ＩＤタグとがあり、ＩＤタグリーダ／ライタ２０としては、これらのどちらか一方あるいは両方に対応したものとなる。
【０１０２】
なお、上記の例では、ＩＤタグを利用して利用可能なプリント紙であるか否かを確認するようになっているが、これに限定するものではなく、例えば、プリント紙およびインクフィルムを梱包する梱包材などにプリントされているバーコードなどを利用して確認するような構成としてもよい。しかしながら、バーコードを用いる場合には、含めることのできる情報量が少ないことや、例えば用紙枚数のカウントダウンによる情報の書き換えができない、などの問題がある。
【０１０３】
なお、上記のプリント紙としては、通常の紙状媒体である紙状シートであってもよいし、粘着シートおよび該粘着シールの粘着面に貼り付けられている剥離シートからなるシールシートであってもよい。
【０１０４】
仕切幕移動装置２２は仕切幕９を移動させる装置であり、例えば前記した例において、仕切幕移動レール９Ｃに移動駆動力を与える装置に相当するものである。具体的には、前記した例のように、支点９Ａに設けられた、仕切幕支持レール９Ｂ・９Ｂを回動させるトルクを発生する回動駆動モータが仕切幕移動装置２２に相当することになる。
【０１０５】
そして、制御装置１６内には、仕切幕移動装置２における移動動作を制御する仕切幕移動制御部（制御手段）２５が設けられている。なお、前記したように、機械的な制御によって仕切幕９を移動させるのではなく、手動によって仕切幕９を移動させる構成とする場合には、仕切幕移動装置２および仕切幕移動制御部２５を設ける必要はない。
【０１０６】
撮影ユニット移動装置２３は、撮影ユニット２を撮影ユニット用レール４Ａ上で作業空間Ａと作業空間Ｂとの間で移動させる装置である。また、編集ユニット移動装置２４は、編集ユニット３を編集ユニット用レール４Ｂ上で作業空間Ａと作業空間Ｂとの間で移動させる装置である。この撮影ユニット移動装置２３および編集ユニット移動装置２４は、例えばループ状のチェーンを移動範囲で設け、このチェーンをモータなどによって回動させることによって、チェーンに連動して撮影ユニット２あるいは編集ユニット３を移動させるような構成によって実現できる。
【０１０７】
そして、制御装置１６内には、撮影ユニット移動装置２３および編集ユニット移動装置２４における移動動作をそれぞれ制御する撮影ユニット移動制御部（制御手段）２６および編集ユニット移動制御部（制御手段）２７が設けられている。
【０１０８】
以上のように、制御装置１６には、仕切幕移動制御部２５、撮影ユニット移動制御部２６および編集ユニット移動制御部２７が設けられており、これらの制御は互いに連動して行われることになる。すなわち、作業空間Ａが撮影空間、作業空間Ｂが編集区間として機能させる場合には、仕切幕移動制御部２５によって仕切幕９が作業空間Ｂ側に移動され、撮影ユニット移動制御部２６によって撮影ユニット２が作業空間Ａ側に移動され、編集ユニット移動制御部２７によって編集ユニット３が作業空間Ｂ側に移動される。また、作業空間Ｂが撮影空間、作業空間Ａが編集区間として機能させる場合には、上記と逆の移動制御が行われることになる。
【０１０９】
次に、上記写真プリントシステムにおける処理の流れについて、図７に示すフローチャートを参照しながら説明する。まず前提として、２つの作業空間のうち、一方が撮影空間、他方が編集空間として設定されているものとする。すなわち、仕切幕９は編集空間として設定されている作業空間の側へ移動しており、撮影ユニット２は撮影空間として設定されている作業空間の側へ移動しており、編集ユニット２は編集空間として設定されている作業空間の側へ移動しているものとする。
【０１１０】
そして、ステップ１（以降、Ｓ１のように称する）において、利用者が撮影空間として設定されている作業空間に進入したとする。ここで利用者は、コイン投入口から代金を投入し、課金処理部１８によって課金処理が行われる（Ｓ２）。
【０１１１】
課金処理が正常に完了したことが確認されると、Ｓ３において撮影処理が開始される。そして、Ｓ４において撮影処理が終了したか否かが判定され、終了していない場合には（Ｓ４においてＮＯ）、Ｓ３における撮影処理が繰り返し行われる。なお、撮影処理の詳細については後述する。
【０１１２】
撮影処理が終了したことが確認されると（Ｓ４においてＹＥＳ）、その時点で、隣の作業空間、すなわち編集空間が他の利用者によって使用中であるか否かが判定される（Ｓ５）。ここで、編集空間が使用中であると判定された場合（Ｓ５においてＹＥＳ）、撮影空間にいる利用者は、直ちに編集作業に移行することはできないことになる。したがって、編集空間での利用が終了するまで待機する処理が行われる（Ｓ６）。ここでの待機処理においては、例えば、撮影ユニット２における表示画面上に何らかのデモ画面を表示させたり、簡単なゲームなどを行うことが可能となっていたりしていてもよい。また、待機処理を行う代わりに、撮影処理を延長して行うことができるように設定してもよい。
【０１１３】
一方、もともと編集空間には他の利用者が存在していない場合や、編集空間を利用していた他の利用者による編集処理が終了した場合において、Ｓ５においてＮＯ、すなわち編集空間が使用中でないと判定された場合には、現在の撮影空間を編集空間に移行させる処理が行われる。具体的には、仕切幕９、撮影ユニット２、および編集ユニット３の移動処理が行われる（Ｓ７）。以上の処理によって、利用者自身は移動することなしに、撮影空間から編集空間に移行することができる。なお、上記の移動処理についての詳細は後述する。
【０１１４】
編集空間への移行処理が正常に完了したことが確認されると、Ｓ８において編集処理が開始される。そして、Ｓ９において編集処理が終了したか否かが判定され、終了していない場合には（Ｓ９においてＮＯ）、Ｓ８に戻って編集処理が継続される。なお、編集処理の詳細については後述する。
【０１１５】
編集処理が終了したことが確認されると（Ｓ９においてＹＥＳ）、編集が施された画像データがプリンタ２１に伝送され、この画像データに基づいてプリンタ２１がプリント紙２９に対して画像出力し、これがプリント排出口から排出される（Ｓ１０）。以上のシーケンスによって、ある利用者による撮影から編集、出力に至るプレイ動作が終了する。
【０１１６】
次に、上記の仕切幕９、撮影ユニット２、および編集ユニット３の移動処理について、図８に示すフローチャートに基づいて説明する。まず、Ｓ１１において、仕切幕９を現在の編集空間側から撮影空間側へ移動させる処理が行われる。この処理は、仕切幕移動制御部２５によって仕切幕移動装置２２が制御されることによって行われる。そして、Ｓ１２において、仕切幕９の移動が完了したか、すなわち、仕切幕９が現在の撮影空間側の所定位置に移動したかが判定され、移動が完了していなければＳ１１の処理が繰り返される。
【０１１７】
仕切幕９の移動が完了すると、Ｓ１３において、撮影ユニット２を現在の撮影空間から編集空間へ移動させる処理が行われる。この処理は、撮影ユニット移動制御部２６によって撮影ユニット移動装置２３が制御されることによって行われる。そして、Ｓ１４において、撮影ユニット２の移動が完了したか、すなわち、撮影ユニット２が現在の編集空間の所定位置に移動したかが判定され、移動が完了していなければＳ１３の処理が繰り返される。
【０１１８】
撮影ユニット２の移動が完了すると、Ｓ１５において、編集ユニット３を現在の編集空間から撮影空間へ移動させる処理が行われる。この処理は、編集ユニット移動制御部２７によって編集ユニット移動装置２４が制御されることによって行われる。そして、Ｓ１６において、編集ユニット３の移動が完了したか、すなわち、編集ユニット３が現在の編集空間の所定位置に移動したかが判定され、移動が完了していなければＳ１５の処理が繰り返される。以上より移動処理が終了する。
【０１１９】
なお、上記の移動処理では、仕切幕９の移動、撮影ユニット２の移動、編集ユニット３の移動という順番で処理が行われているが、実際には、これらの処理を同時に並行して行えば、移動処理に必要とされる時間を最低限にすることができるので好ましい。
【０１２０】
次に、上記の課金処理および撮影処理について、図９（ａ）ないし図９（ｆ）に示す表示画面を参照しながら説明する。なお、課金処理および撮影処理は、撮影空間内で行われるものであるので、上記の図に示されている表示画面は、撮影ユニット２における表示モニタ１２上に表示されるものとなる。
【０１２１】
まず、利用者が最初に撮影空間に進入すると、図９（ａ）に示すようなオープニング画面が表示され、コイン投入の指示も同時に行われる。利用者がコインを投入し、課金が正常に完了すると、撮影処理が開始される。まず、図９（ｂ）に示すように、全身撮影、すなわち利用者のほぼ全身が撮影されるような構図で撮影を行うか、アップ撮影、すなわち利用者の頭部や胸部近傍が大きく撮影されるような構図で撮影を行うかの選択が行われる。ここでの選択は、撮影ユニット２に設けられている切替／選択ボタン１３によってどちらか選択し、シャッタボタン１４によって決定する、という方法で行われる。なお、撮影処理が開始されると、例えば画面の左上隅などに、撮影処理を行うことが可能な制限時間の残り時間が表示されるようにしておく。
【０１２２】
構図の選択が行われると、図９（ｃ）のように構図選択の確認画面が表示され、ＯＫであれば、撮影カメラによる撮影が行われる。なお、撮影時には、図示はしていないが、撮影カメラによる撮影状態が表示モニタ１２上に表示され、利用者がポーズを決定した時点でシャッタボタン１４が押され、カウントダウン表示の後にシャッタが切られる、というようなシーケンスが行われる。
【０１２３】
１枚分の撮影が終了すると、図９（ｄ）のように、さらに撮影を行うか否かが質問される。すなわち、撮影処理のための制限時間内であれば何枚でも撮影を行うことが可能となっている。その後、撮影処理のための制限時間がなくなるか、撮影終了の指示が利用者から出されると、図９（ｅ）に示すように、落書きなどの編集をしてプリントさせる対象とする画像の選択が行われる。ここでは、撮影処理時間内に撮影された全ての画像が表示され、利用者は表示された画像の中から任意に所定枚数分だけ画像を選択する。これにより、撮影時に目をつぶってしまったり、不本意な状態で撮影された画像などを排除して、利用者の好みにあった画像を選択することができる。そして、図９（ｆ）に示すように、選択された画像を再度画面表示させることによって、選択画像の確認が行われる。なお、この画像の選択処理に関しても制限時間を設定し、画面の左上隅などに表示させることが好ましい。
【０１２４】
次に上記の編集処理について、図１０に示す表示画面を参照しながら説明する。なお、編集処理は編集空間内で行われるものであるので、図１０に示されている表示画面は、編集ユニット３における編集表示パネル３Ａ上に表示されるものとなる。
【０１２５】
図１０に示すように、表示画面上における左上隅には、編集処理を行うことが可能な制限時間の残り時間が表示される。また、表示画面上における中央には、編集対象となる画像が表示され、この画像に対してタッチペン３Ｂを用いて落書きなどの編集処理が行われる。この画像の左には、編集処理を行うためのツール類の選択領域が表示される。ツール類としては、例えば複数の種類からなるペンおよびその色、消しゴム、複数の背景の模様およびその色、複数のスタンプなどが挙げられる。
【０１２６】
また、編集対象となる画像の右には、編集対象となる画像を選択するための選択画像、すなわち、上記の画像の選択処理において選択された画像が表示される。利用者は、タッチペン３Ｂによって選択画像をタッチすることによって、中央に編集対象として表示される画像を切り替えることが可能となっている。
【０１２７】
その後、編集処理のための制限時間がなくなるか、編集終了の指示が利用者から出されると、図１１に示すような画面が表示され、利用者はこの指示にしたがってプリント排出口に移動することになる。なお、この表示画面において、「取出し口」（プリント排出口に相当）がどちらにあるかを示す言葉および矢印が表示されているが、この向きは、作業空間Ａである場合と作業空間Ｂである場合とでそれぞれ適切な向きとなるように変化させることが好ましい。
【０１２８】
なお、本実施形態では、図１などに示すように、撮影ユニット２および編集ユニット３の両方を作業空間Ａ・Ｂの間で移動させる構成となっているが、これに限定されるものではなく、撮影ユニット２および編集ユニット３のどちらか一方のみを作業空間Ａ・Ｂの間で移動可能とし、移動しない方のユニットを作業空間Ａ・Ｂの両方に設置する構成としてもよい。このような構成としても、本実施形態と同様の処理を行うことが可能である。しかしながら、移動しない方のユニットを２つ設けることになるので、装置コストとしては図１などに示す本実施形態の構成の方が低いことになるが、例えば移動機構のない撮影ユニット２および編集ユニット３を設けた装置を２つ設けるよりはコストを低くすることができる。
【０１２９】
【発明の効果】
以上のように、本発明に係る写真プリントシステムは、上記撮影手段による撮影処理が行われる撮影空間、あるいは上記編集手段による編集処理が行われる編集空間として機能する第１および第２の作業空間と、上記編集手段を上記第１および第２の作業空間の間で移動させる編集手段移動手段と、上記編集手段移動手段の動作を制御する制御手段とを備え、上記撮影手段が、上記第１および第２の作業空間にそれぞれ設けられているとともに、上記制御手段が、上記第１および第２の作業空間のうちの一方に上記編集手段を移動させるとともに、上記編集手段が配置される作業空間を上記編集空間として機能させ、上記編集手段が配置されていない方の作業空間を上記撮影空間として機能させる構成である。
【０１３０】
また、本発明に係る写真プリントシステムは、上記撮影手段による撮影処理が行われる撮影空間、あるいは上記編集手段による編集処理が行われる編集空間として機能する第１および第２の作業空間と、上記撮影手段を上記第１および第２の作業空間の間で移動させる撮影手段移動手段と、上記撮影手段移動手段の動作を制御する制御手段とを備え、上記編集手段が、上記第１および第２の作業空間にそれぞれ設けられているとともに、上記制御手段が、上記第１および第２の作業空間のうちの一方に上記撮影手段を移動させるとともに、上記撮影手段が配置される作業空間を上記撮影空間として機能させ、上記撮影手段が配置されていない方の作業空間を上記編集空間として機能させる構成である。
【０１３１】
また、本発明に係る写真プリントシステムは、上記撮影手段による撮影処理が行われる撮影空間、あるいは上記編集手段による編集処理が行われる編集空間として機能する第１および第２の作業空間と、上記撮影手段を上記第１および第２の作業空間の間で移動させる撮影手段移動手段と、上記編集手段を上記第１および第２の作業空間の間で移動させる編集手段移動手段と、上記撮影手段移動手段および上記編集手段移動手段の動作を制御する制御手段とを備え、上記制御手段が、上記第１および第２の作業空間のうちの一方に上記撮影手段を移動させるとともに、上記第１および第２の作業空間のうちの他方に上記編集手段を移動させる制御を行う構成である。
【０１３２】
これにより、１台の写真プリントシステムにおいて同時に２組の利用者を取り扱うことができるとともに、撮影処理から編集処理への移行の際に、利用者自身が移動を行う必要をなくすことができるので、利用者の回転率を向上させることができるとともに、利用者の利便性を向上させることができるという効果を奏する。
【０１３３】
また、従来のように、連続プレイを行う場合に、一度装置の外に出て、待ち行列ができている場合にはその最後尾に並び直すというような不便さを解消することができるという効果を奏する。
【０１３４】
また、本発明に係る写真プリントシステムは、上記撮影手段と、上記編集手段と、上記撮影手段移動手段および／または上記編集手段移動手段とを支持する筐体をさらに備え、上記筐体の前面が左右２つの領域に分割され、これらの領域がそれぞれ第１および第２の作業空間に含まれるようになっており、上記撮影手段および／または上記編集手段が、それぞれ上記撮影手段移動手段および／または上記編集手段移動手段によって、上記筐体の前面側で左右方向に移動される構成としてもよい。
【０１３５】
これにより、上記の構成による効果に加えて、撮影手段および編集手段の移動は直線的に行えばよいことになるので、撮影手段移動手段および編集手段移動手段における移動機構は比較的簡単な構成とすることができるという効果を奏する。
【０１３６】
また、筐体の裏面側に作業空間を設ける必要がなくなるので、例えば筐体の裏側を壁に接するような状態で写真プリントシステムを配置することが可能となり、娯楽施設などにおける装置の配置形態の自由度を向上させることができるという効果を奏する。
【０１３７】
また、本発明に係る写真プリントシステムは、上記第１および第２の作業空間のそれぞれの周囲が、囲い部材によって囲われているとともに、上記第１および第２の作業空間の広さを変化させるように、上記囲い部材の少なくとも一部を移動させる囲い部材移動手段を備えている構成としてもよい。
【０１３８】
これにより、上記の構成による効果に加えて、状況に応じて作業空間の広さを変更させることによって、写真プリントシステムの設置面積を必要最低限に抑えることが可能となるので、娯楽施設などにおける設置スペース上の問題を低減することができるという効果を奏する。
【０１３９】
また、本発明に係る写真プリントシステムは、上記囲い部材が、上記第１および第２の作業空間からなる空間の周囲を囲む周囲部材と、上記第１および第２の作業空間の間を仕切る仕切部材とによって構成されており、上記囲い部材移動手段が、上記仕切部材を移動させる仕切部材移動手段である構成としてもよい。
【０１４０】
これにより、上記の構成による効果に加えて、写真プリントシステム全体の設置面積を不変とした状態で、内部において第１および第２の作業空間の広さを変更することが可能となる。また、第１および第２の作業空間の間を仕切る仕切部材を移動させるだけでよいので、比較的簡素な構成によって第１および第２の作業空間の広さを変更することが可能となるという効果を奏する。
【０１４１】
また、本発明に係る写真プリントシステムは、上記仕切部材移動手段が、上記制御手段による制御によって動作する構成としてもよい。
【０１４２】
これにより、上記の構成による効果に加えて、撮影空間として機能する場合と編集空間として機能する場合との両方において、的確な作業空間の広さに設定することが可能となるという効果を奏する。
【０１４３】
また、本発明に係る写真プリントシステムは、上記撮影手段が、利用者の撮影を行う撮影カメラと、上記撮影カメラによる撮影画面および操作指示内容表示画面を表示する表示手段と、操作入力手段とを備えている構成としてもよい。
【０１４４】
これにより、上記の構成による効果に加えて、構成部品を少なくすることができるので、装置コストの低減を図ることができるという効果を奏する。
【０１４５】
また、本発明に係る写真プリントシステムは、上記編集手段が、編集対象となる画像を含む編集画面を表示する編集表示手段と、利用者による編集処理を受け付ける編集入力手段とを備えている構成としてもよい。
【０１４６】
これにより、上記の構成による効果に加えて、構成部品を少なくすることができるので、装置コストの低減を図ることができるという効果を奏する。
【０１４７】
また、本発明に係る写真プリントシステムは、利用者から代金を徴収するための課金受付手段をさらに備え、上記課金受付手段が、上記撮影手段と連動して移動する構成としてもよい。
【０１４８】
これにより、上記の構成による効果に加えて、課金受付手段は１つだけ設ければよいことになり、各作業空間に１つずつ設ける必要がなくなる。よって、構成部品を少なくすることができるので、装置コストの低減を図ることができるという効果を奏する。
【０１４９】
また、本発明に係る写真プリントシステム制御方法は、上記第１および第２の作業空間のうちの一方に上記編集手段を移動させるとともに、上記編集手段が配置される作業空間を上記編集空間として機能させ、上記編集手段が配置されていない方の作業空間を上記撮影空間として機能させる制御を行う方法である。
【０１５０】
また、本発明に係る写真プリントシステム制御方法は、上記第１および第２の作業空間のうちの一方に上記撮影手段を移動させるとともに、上記撮影手段が配置される作業空間を上記撮影空間として機能させ、上記撮影手段が配置されていない方の作業空間を上記編集空間として機能させる制御を行う方法である。
【０１５１】
また、本発明に係る写真プリントシステム制御方法は、上記第１および第２の作業空間のうちの一方に上記撮影手段を移動させるとともに、上記第１および第２の作業空間のうちの他方に上記編集手段を移動させる制御を行う方法である。
【０１５２】
これにより、１台の写真プリントシステムにおいて同時に２組の利用者を取り扱うことができるとともに、撮影処理から編集処理への移行の際に、利用者自身が移動を行う必要をなくすことができる。よって、利用者の回転率を向上させることができるとともに、利用者の利便性を向上させることができるという効果を奏する。
【０１５３】
また、従来のように、連続プレイを行う場合に、一度装置の外に出て、待ち行列ができている場合にはその最後尾に並び直すというような不便さを解消することができるという効果を奏する。
【０１５４】
また、本発明に係る写真プリントシステム制御方法は、上記写真プリントシステムが、上記第１および第２の作業空間のそれぞれの周囲が、囲い部材によって囲われているとともに、上記第１および第２の作業空間の広さを変化させるように、上記囲い部材の少なくとも一部を移動させる囲い部材移動手段を備えているとともに、上記囲い部材移動手段の動作の制御を行う方法としてもよい。
【０１５５】
これにより、上記の方法による効果に加えて、撮影空間として機能する場合と編集空間として機能する場合との両方において、的確な作業空間の広さに設定することが可能となるという効果を奏する。
【０１５６】
また、本発明に係るプリント紙ユニットは、画像が印刷されるプリント紙と、上記プリント紙に関する識別情報を記録する識別媒体とを備え、上記本発明に係る写真プリントシステムに備えられた識別情報読み取り手段によって、上記識別媒体に記録されている識別情報が読み取られ、その内容が確認された上で上記プリント紙に画像が出力される構成である。
【０１５７】
これにより、写真プリントシステムにおいて指定されているプリント紙以外は使用できないように設定することが可能となるという効果を奏する。
【０１５８】
また、識別情報に用紙枚数情報を含ませることによって、プリント紙を使用するごとに用紙枚数をカウントダウンすることにより、残りの用紙枚数を把握することが可能となるという効果を奏する。
【０１５９】
また、識別情報に用紙種類情報を含ませることによって、これらを考慮して画像データの色成分などを補正することにより、その用紙やインクフィルムに的確な画像出力を行うことが可能となるという効果を奏する。
【図面の簡単な説明】
【図１】本発明の一実施形態に係る写真プリントシステムが備える写真プリント出力装置の外観を示す斜視図である。
【図２】上記写真プリント出力装置および作業空間を上側から見た際の状態を示す図である。
【図３】仕切幕の移動機構の構成例を示す斜視図である。
【図４】撮影ユニットの外観を示す正面図である。
【図５】編集ユニットの外観を示す斜視図である。
【図６】上記写真プリントシステムの概略構成を示すブロック図である。
【図７】上記写真プリントシステムにおける処理の流れを示すフローチャートである。
【図８】仕切幕、撮影ユニット、編集ユニットの移動処理の流れを示すフローチャートである。
【図９】同図（ａ）ないし（ｆ）は、課金処理および撮影処理における表示画面の例を示す図である。
【図１０】編集処理における表示画面の例を示す図である。
【図１１】編集処理終了後の表示画面の例を示す図である。
【図１２】コイン投入口を撮影ユニットに設けた例を示す正面図である。
【符号の説明】
１    写真プリント出力装置
１Ａ    筐体
２    撮影ユニット（撮影手段）
３    編集ユニット（編集手段）
３Ａ    編集表示パネル（編集表示手段）
３Ｂ    タッチペン（編集入力手段）
４Ａ    撮影ユニット用レール（撮影手段移動手段）
４Ｂ    編集ユニット用レール（編集手段移動手段）
５Ａ・５Ｂ    コイン投入口（課金受付手段）
６Ａ・６Ｂ    プリント排出口
９    仕切幕（仕切部材）
１０    周囲幕（周囲部材）
１１    撮影カメラ
１２    表示モニタ（表示手段）
１３    切替／選択ボタン（操作入力手段）
１４    シャッタボタン（操作入力手段）
１６    制御装置（制御手段）
２０    ＩＤタグリーダ／ライタ（識別情報読み取り手段）
２１    プリンタ（画像出力手段）
２２    仕切幕移動装置（仕切部材移動手段）
２３    撮影ユニット移動装置（撮影手段移動手段）
２４    編集ユニット移動装置（編集手段移動手段）
２５    仕切幕移動制御部（制御手段）
２６    撮影ユニット移動制御部（制御手段）
２７    編集ユニット移動制御部（制御手段）
２８    ＩＤタグ（識別媒体）
２９    プリント紙
【図１】
0004140258.tif 000002
【図２】
0004140258.tif 000003
【図３】
0004140258.tif 000004
【図４】
0004140258.tif 000005
【図５】
0004140258.tif 000006
【図６】
0004140258.tif 000007
【図７】
0004140258.tif 000008
【図８】
0004140258.tif 000009
【図９】
0004140258.tif 000010
【図１０】
0004140258.tif 000011
【図１１】
0004140258.tif 000012
【図１２】
0004140258.tif 000013